(57)【要約】【課題】接合領域で優れた意匠性を発揮可能な建築板を提供する。【解決手段】本発明の建築板である外壁材１、１２は、複数の凸部３と、縦方向に延び、横方向で隣接する凸部３間に位置して凸部３を区画する複数の縦目地５と、横方向に延び、縦方向で隣接する凸部３間に位置して凸部３を区画する複数の横目地７と、縦方向に延び、各凸部３を複数のブロック３ａ〜３ｇに区画する複数の溝９ａ〜９ｆとを備えている。各横目地７は、外壁材１の一端から他端まで連続している。各溝９ａ〜９ｆは、表面からの深さが縦目地５の深さＤ１よりも浅く、横方向における幅Ｗ３が縦目地５の横方向における幅Ｗ１よりも狭い。横方向で隣接するブロック３ａ〜３ｇ同士は異なる表面模様を有している。各縦目地５が縦方向に形成する延長線上には、少なくとも三つの凸部３を跨がなければ、他の縦目地５が存在しない。【選択図】図１
2019065506.tif 000002
【特許請求の範囲】
【請求項１】
複数の凸部と、第１方向に延び、前記第１方向と直交する第２方向で隣接する前記凸部間に位置して前記凸部を区画する複数の第１目地と、前記第２方向に延び、前記第１方向で隣接する前記凸部間に位置して前記凸部を区画する複数の第２目地と、前記第１方向に延び、各前記凸部を複数のブロックに区画する複数の溝とを備え、
各前記第２目地は、建築板の一端から他端まで連続し、
各前記溝は、表面からの深さが前記第１目地の深さよりも浅く、前記第２方向における幅が前記第１目地の前記第２方向における幅よりも狭く、
前記第２方向で隣接する前記ブロック同士は異なる表面模様を有し、
各前記第１目地が前記第１方向に形成する延長線上には、少なくとも三つの前記凸部を跨がなければ、他の前記第１目地が存在しないことを特徴とする建築板。
【請求項２】
各前記第１目地が前記第１方向に形成する延長線上には他の前記第１目地が存在しない請求項１記載の建築板。
【請求項３】
各前記ブロックは、前記表面模様として前記ブロック内を区画する稜線が形成された稜線ブロックを有し、
各前記凸部が前記稜線ブロックを前記第１目地に隣接させずに有している請求項１記載の建築板。
【請求項４】
各前記凸部は、少なくとも１つの前記稜線ブロックを有する請求項３記載の建築板。
【請求項５】
複数の前記稜線ブロックが前記第１方向と前記第２方向とに交差する方向に離間して設けられている請求項３又は４記載の建築板。
【請求項６】
前記溝は、断面視でＶ形状であるＶ溝又は断面視で台形状である台形溝であり、
前記第１目地を前記第２方向に挟んで対向する前記ブロックの内、少なくとも一方の前記ブロックを区画する前記溝が前記Ｖ溝である請求項１乃至５のいずれか１項記載の建築板。
【請求項７】
前記第２目地は、前記第１方向における幅が一定ではない請求項１乃至６のいずれか１項記載の建築板。
【発明の詳細な説明】
【技術分野】
【０００１】
本発明は建築板に関する。
【背景技術】
【０００２】
従来より、窯業系サイディングボード、金属系サイディングボード、ＡＬＣ（Autoclaved Lightweight aerated Concrete）ボード等が建築物の外壁や内壁を構成する建築板として用いられている。この建築板は、通常、長方形の板である。複数の建築板が貼り合わされて建築物の外壁や内壁が構成される。この建築板の表面には、意匠性を高める目的で様々な凹凸形状が設けられることが多い。例えば、特許文献１には、表面に縦目地と横目地とで区画される複数の凸部を有す建築板が開示されている。この建築板は、長い縦目地が目立たず、優れた意匠性を発揮する。
【０００３】
また、建築物の外壁や内壁を構成する際、隅部には、出隅と呼ばれる断面Ｌ字形状の部材を貼ることが行われ得る。出隅は、壁面の外観を統一させるため、特許文献２に記載されるように、建築板を切断した後、切断した建築板を断面Ｌ字形状となるように接合して出隅用パネルを製造することが多い。この場合、施工する建物の横寸法により、必要な出隅用パネルの横幅の寸法は異なるため、建築板は、物件により様々な寸法の横幅で切断されることが行われている。
【先行技術文献】
【特許文献】
【０００４】
【特許文献１】特開２０００−３２８７５４号公報
【特許文献２】特開２０００−２３４４３１号公報
【発明の概要】
【発明が解決しようとする課題】
【０００５】
しかし、縦目地及び横目地によって区画されている従来の建築板を縦方向で切断すると、切断位置によっては凸部の横幅が極端に狭くなる部位が生じ得る。横幅が極端に狭い凸部は目立ちやすく、接合領域の意匠性が損なわれてしまう。
【０００６】
本発明は、上記従来の実情に鑑みてなされたものであって、建築板を切断して製造した出隅用パネルの接合領域で優れた意匠性を発揮可能な建築板を提供することを目的としている。
【課題を解決するための手段】
【０００７】
本発明の第１の態様の建築板は、複数の凸部と、第１方向に延び、前記第１方向と直交する第２方向で隣接する前記凸部間に位置して前記凸部を区画する複数の第１目地と、前記第２方向に延び、前記第１方向で隣接する前記凸部間に位置して前記凸部を区画する複数の第２目地と、前記第１方向に延び、各前記凸部を複数のブロックに区画する複数の溝とを備え、
各前記第２目地は、前記建築板の一端から他端まで連続し、
各前記溝は、表面からの深さが前記第１目地の深さよりも浅く、前記第２方向における幅が前記第１目地の前記第２方向における幅よりも狭く、
前記第２方向で隣接する前記ブロック同士は異なる表面模様を有し、
各前記第１目地が前記第１方向に形成する延長線上には、少なくとも三つの前記凸部を跨がなければ、他の前記第１目地が存在しないことを特徴とする。
【０００８】
第１の態様の建築板では、各凸部が第１方向に延びる第１目地と、第２方向に延びる第２目地とによって区画されているばかりでなく、第１方向に延びる溝とブロックの表面形状とによって複数のブロックに区画されている。すなわち、第１目地と、第２目地と、溝と、ブロックの表面形状とにより、小さいブロックが多数配置された意匠が表現されている。
【０００９】
第２方向に並んだ各ブロックは、第１目地又は溝によって第２方向で区画されている。溝は、表面からの深さが第１目地の深さよりも浅く、第２方向における幅が第１目地の第２方向における幅よりも狭いので、第１目地と第２目地に比べて目立ちにくい。建築板を第１方向に切断した際に、溝に第２方向で隣接するブロックが切断され、第２方向の幅が極端に狭いブロックが形成されたとしても、溝は第１目地や第２目地に比べて目立ちにくいので、第２方向の幅が極端に狭いブロックが溝を介して第２方向で隣接するブロックと繋がっているようにも見え、第２方向の幅が極端に狭いブロックは目立ちにくく、意匠性を損ないにくい。
【００１０】
また、第１目地が第１方向に形成する延長線上には、少なくとも三つの凸部を跨がなければ、他の第１目地が存在しないので、建築板を第１方向に切断する場合、第２方向の幅が極端に狭いブロックが第１方向に連続して形成され難く、目立ちにくいので、意匠性を損なわない。
【００１１】
さらに、第１の態様の建築板では、各溝は、表面からの深さが第１目地の深さよりも浅く、第２方向における幅が第１目地の幅よりも狭い。このため、第１目地及び第２目地における陰影が溝の陰影よりも強くなっている。そして、第２方向で隣接するブロック同士は異なる表面模様を有し、各第１目地が第１方向に形成する延長線上には、少なくとも三つの凸部を跨がなければ、他の第１目地が存在しない。このため、建築板全体、また複数の建築板が接合された接合領域全体を見たとき、ブロックの輪郭に強弱ができ、優れた意匠性を発揮する。
【００１２】
したがって、第１の態様の建築板は、接合領域で優れた意匠性を発揮することができる。このため、この建築板によって出隅用パネルを製造したとしても、建物が優れた意匠性を発揮することができる。
【００１３】
本発明の第２の態様として、各第１目地が第１方向に形成する延長線上には他の第１目地が存在しない。第２の態様の建築板を第１方向に切断する場合、第２方向の幅が極端に狭いブロックが第１方向に２つ以上形成されず、目立ちにくいので、意匠性を損なわない。
【００１４】
本発明の第３の態様として、各ブロックは、表面模様としてブロック内を区画する稜線が形成された稜線ブロックを有する。そして、各凸部が稜線ブロックを第１目地に隣接させずに有している。この場合、稜線ブロックは、稜線を境として陰影が異なるので、稜線を有しないブロックよりも目立つ。各凸部が稜線ブロックを第１目地に隣接させずに有しておれば、建築板全体、また接合領域全体を見たとき、第１目地に隣接し、稜線を有しないブロックが目立ち難い。このため、切断によって、第１目地に第２方向で隣接するブロックの第２方向における幅が極端に狭くなっても目立ち難い。また、建築板の意匠に抑揚ができる。
【００１５】
本発明の第４の態様として、各凸部は、少なくとも１つの稜線ブロックを有する。この場合、目立つ稜線ブロックを建築板の全体に配置できるので、第３の態様の建築板の効果がより顕著となる。
【００１６】
本発明の第５の態様として、複数の稜線ブロックが第１方向と第２方向とに交差する方向に離間して設けられている。この場合、目立つ稜線ブロックを建築板の全体に偏りなく配置できるので、第３、４の態様の建築板の効果が顕著となる。
【００１７】
本発明の第６の態様として、溝は、断面視でＶ形状であるＶ溝又は断面視で台形状である台形溝である。そして、第１目地を第２方向に挟んで対向するブロックの内、少なくとも一方のブロックを区画する溝がＶ溝である。この場合、Ｖ溝が台形溝よりも目立ち難いので、建築板の切断により、第１目地に第２方向で隣接するブロックの第２方向の幅が狭くなっても、切断されたブロックがＶ溝を介して第２方向で隣接するブロックと繋がっているようにも見え、切断されたブロックは目立ちにくく、意匠性を損ない難い。
【００１８】
本発明の第７の態様として、第２目地は、第１方向における幅が一定ではない。この場合、第２目地が強調され、第１目地及び溝が目立ち難くなるので、建築板の切断により、第１目地に第２方向で隣接するブロックの第２方向における幅が狭くなっても、目立ち難い。また、出隅パネルを製造し、建築板と隣接させた際に、第２目地のズレが生じても違和感が緩和される。
【発明の効果】
【００１９】
本発明の建築板は、接合領域で優れた意匠性を発揮することができる。
【図面の簡単な説明】
【００２０】
【図１】図１は、実施の形態１の外壁材の平面図である。
【図２】図２は、実施の形態１の外壁材の一部の拡大平面図である。
【図３】図３は、実施の形態１の外壁材の一部の平面を示す写真である。
【図４】図４は、実施の形態１の外壁材の一凸部の平面を示す写真である。
【図５】図５は、実施の形態１の外壁材に係り、Ｖ溝を含む位置における横方向の断面図である。
【図６】図６は、実施の形態１の外壁材に係り、台形溝を含む位置における横方向の断面図である。
【図７】図７は、実施の形態１の外壁材に係り、縦方向の断面図である。
【図８】図８は、実施の形態１の外壁材の一凸部の拡大平面図である。
【図９】図９は、実施の形態１の外壁材の他の凸部の拡大平面図である。
【図１０】図１０は、実施の形態１の外壁材のさらに他の凸部の拡大平面図である。
【図１１】図１１は、実施の形態１の外壁材の第１接合領域を示す展開図である。
【図１２】図１２は、実施の形態１の外壁材の第２接合領域を示す展開図である。
【図１３】図１３は、実施の形態１の外壁材の第３接合領域を示す展開図である。
【図１４】図１４は、実施の形態２の外壁材の平面図である。
【図１５】図１５は、実施の形態２の外壁材の一部の拡大平面図である。
【発明を実施するための形態】
【００２１】
以下、本発明を具体化した実施の形態１、２を図面を参照しつつ説明する。なお、図１において、垂直上方向を上と表示し、横右方向を右と表示し、垂直下方向を下と表示し、横左方向を左と表示する。また、図１において、紙面手前を表とし、紙面奥を裏とする。そして、図２以降の各図に示す各方向は、図１に対応させて表示する。
【００２２】
（実施の形態１）
実施の形態１の建築板は、セメントを含む窯業系材料からなる外壁材１である。この外壁材１は、図１に示すように、左右方向に長い略矩形状をなし、例えば、縦寸法が４５５ｍｍ、横寸法が３０３０ｍｍである。実施の形態１では、外壁材１は、上下合決り構造のものであり、上端縁及び下端縁に隣接する外壁材１と重ね合わされる接合部としての所謂実部（図示せず）を有している。
【００２３】
この外壁材１は、図１〜図３に示すように、複数の凸部３と、縦方向に延びる複数の縦目地５と、横方向に延びる６本の横目地７と、縦方向に延び、各凸部３を７個のブロック３ａ〜３ｇに区画する６本の溝９ａ〜９ｆとを備える。
【００２４】
実施の形態１においては、縦方向、換言すれば上下方向が第１方向に相当し、横方向、換言すれば左右方向が第２方向に相当する。
【００２５】
各凸部３は、左右方向に長い略矩形状をなし、例えば、縦寸法が６５ｍｍ、横寸法が３０３ｍｍである。各ブロック３ａ〜３ｇは、縦方向が横方向よりやや長い長方形状をなし、例えば、縦寸法が６５ｍｍ、横寸法が４２．８ｍｍ又は４４．５ｍｍである。
【００２６】
各縦目地５は、横方向で隣接する凸部３間に位置して凸部３を区画している。各縦目地５は、図５及び図６に示すように、目地底に対して傾斜しており、傾斜角度が例えば４５°、横方向の幅Ｗ１が例えば３ｍｍ、表面からの深さＤ１が例えば３．５ｍｍとされている。図１及び図２に示すように、各縦目地５が縦方向に形成する延長線上には他の縦目地５が存在しない。
【００２７】
各横目地７は、縦方向で隣接する凸部３間に位置して凸部３を区画している。各横目地７は、図７に示すように、目地底に対して傾斜しており、傾斜角度が例えば４５°、縦方向の幅Ｗ２が例えば３〜５ｍｍ、表面からの深さＤ２が例えば３．５ｍｍとされている。各横目地７は、外壁材１の右端から左端まで連続している。各横目地７は、図２に示すように、縦方向における幅Ｗ２が一定ではない。
【００２８】
溝９ａ〜９ｆは、横方向で隣接するブロック３ａ〜３ｇ間に位置してブロック３ａ〜３ｇを区画している。各溝９ａ〜９ｆは、図５に示すように、断面視でＶ形状であるＶ溝９１であるか、図６に示すように、断面視で台形状である台形溝９２である。Ｖ溝９１も台形溝９２も、表面からの深さＤが縦目地５の深さＤ１よりも浅い。また、Ｖ溝９１も台形溝９２も、横方向における幅Ｗ３が縦目地５の横方向における幅Ｗ１よりも狭い。また、図２に示すように、ブロック３ａとブロック３ｇとは縦目地５を横方向に挟んで対向している。これらブロック３ａ、３ｇの内、少なくとも一方を区画する溝９ａ、９ｆはＶ溝９１である。
【００２９】
図３及び図４に示すように、各溝９ａ〜９ｆによって横方向で隣接するブロック３ａ〜３ｇ同士は異なる表面模様を有している。図４に示すように、各ブロック３ａ〜３ｇの少なくとも一つは、表面模様としてブロックを横切る稜線Ｒ（図８〜１０参照）が形成された稜線ブロック３０である。
【００３０】
稜線ブロック３０は、図８に示すように、１本の稜線Ｒが縦方向に直線状に横切っていたり、図９に示すように、１本の稜線Ｒが縦方向に対して傾斜しつつ直線状に横切っていたり、図１０に示すように、１本の稜線Ｒが縦方向に対して屈曲しつつ横切っていたりしている。図示はしないが、１本の稜線Ｒが縦方向に対して湾曲しつつ横切ってしる稜線ブロック３０も存在する。
【００３１】
図１及び図２では、稜線ブロック３０をハッチングして示す。図１及び図２に示すように、各凸部３は稜線ブロック３０を縦目地５に隣接させずに有している。また、各凸部３は１つの稜線ブロック３０を有している。より具体的には、実施の形態１の外壁材１では、図１及び図８〜１０に示すように、各凸部３の中央のブロック３ｄが稜線ブロック３０とされている。図１に示すように、複数の稜線ブロック３０が縦方向と横方向とに交差する方向に離間して設けられている。
【００３２】
図１に示すように、この外壁材１が他の外壁材１の左端（Ａ点）や右端（Ｄ点）と接合されるとする。この場合、図１１に示すように、ある外壁材１の左端（Ａ点）と、他の外壁材１の右端（Ｄ点）とが違和感なく接合される。
【００３３】
また、図１に示すように、この外壁材１が例えばＣ点で縦方向に切断され、他の外壁材１の左端（Ａ点）と接合される場合、図１２に示すように、ある外壁材１の左端（Ａ点）と、Ｃ点で切断された外壁材１とが違和感なく接合される。これは、この外壁材１では、各凸部３が縦方向に延びる縦目地５と、横方向に延びる横目地７とによって区画されているばかりでなく、縦方向に延びる溝９ａ〜９ｆとブロック３ａ〜３ｇの表面形状とによって複数のブロック３ａ〜３ｇに区画されているためである。
【００３４】
詳しくは、横方向に並んだ各ブロックは、縦目地５又は溝９ａ〜９ｆによって横方向で区画されている。溝９ａ〜９ｆは、表面からの深さが縦目地５の深さよりも浅く、横方向７における幅が縦目地５の横方向における幅よりも狭いので、縦目地５と横目地７に比べて目立ちにくい。この外壁材１を縦方向に切断した際に、横方向の幅が極端に狭いブロック３ａ〜３ｇが形成されたとしても、溝９ａ〜９ｆは縦目地５と横目地７に比べて目立ちにくいので、横方向の幅が極端に狭いブロックは、溝９ａ〜９ｆを介して横方向で隣接するブロックと繋がっているようにも見え、横方向の幅が極端に狭いブロックが目立ち難いからである。
【００３５】
特に、外壁材１では、溝９ａ〜９ｆがＶ溝９１又は台形溝９２であり、縦目地５を横方向に挟んで対向するブロック３ａ、３ｇの内、少なくとも一方をＶ溝９１が区画している。Ｖ溝９１は台形溝９２よりも目立ち難いので、外壁材１の切断により、縦目地５に横方向で隣接するブロック３ａ、３ｇの横方向の幅が狭くなっても、切断されたブロックはＶ溝９１を介して横方向で隣接するブロックと繋がっているようにも見えやすく、切断されたブロックが目立ち難い。
【００３６】
また、縦目地５が縦方向に形成する延長線上には、他の縦目地５が存在しないので、外壁材１を縦方向に切断する場合、横方向の幅が極端に狭いブロックが縦方向に連続して形成されにくい。
【００３７】
同様に、図１に示すように、この外壁材１が例えばＢ点で縦方向に切断され、他の外壁材１の右端（Ｄ点）と接合される場合、図１３に示すように、ある外壁材１の右端（Ｄ点）と、Ｂ点で切断された外壁材１とが違和感なく接合される。
【００３８】
特に、この外壁材１では、各溝９ａ〜９ｆは、表面からの深さＤが縦目地５の深さＤ１よりも浅く、横方向における幅Ｗ３が縦目地５の幅Ｗ１よりも狭いため、縦目地５及び横目地７における陰影が溝９ａ〜９ｆの陰影よりも強くなっている。また、横方向で隣接するブロック３ａ〜３ｇ同士は異なる表面模様を有し、各縦目地５が縦方向に形成する延長線上には、他の縦目地５が存在しないため、外壁材１全体、また複数の外壁材１が接合された接合領域全体を見たとき、ブロック３ａ〜３ｇの輪郭に強弱ができ、優れた意匠性を発揮する。
【００３９】
また、この外壁材１では、各凸部３が稜線ブロック３０を縦目地５に隣接させずに有している。稜線ブロック３０は、稜線Ｒを境として陰影が異なるので、他のブロック３ａ〜３ｃ、３ｅ〜３ｇよりも目立つ。このため、各凸部３が稜線ブロック３０を縦目地５に隣接させずに有しておれば、外壁材１全体、また接合領域全体を見たとき、縦目地５に隣接するブロック３ａ、３ｇが目立ち難い。このため、切断によって、縦目地５に隣接するブロック３ａ〜３ｃ、３ｅ〜３ｇの横方向における幅が狭くなっても、稜線ブロック３０の存在により、ブロック３ａ〜３ｃ、３ｅ〜３ｇが目立ち難い。また、外壁材１の意匠に抑揚ができる。
【００４０】
さらに、この外壁材１では、複数の稜線ブロック３０が縦方向と横方向とに交差する方向に離間して設けられているため、目立つ稜線ブロック３０を外壁材１の全体に偏りなく配置できている。
【００４１】
さらに、この外壁材１では、横目地７の縦方向における幅Ｗ２が一定ではないため、横目地７が強調され、縦目地５及び溝９ａ〜９ｆが目立ち難くなっている。このため、外壁材１の切断により、縦目地５に横方向で隣接するブロック３ａ、３ｇの横方向における幅が狭くなっても、目立ち難い。また、出隅パネルを製造し、外壁材１と隣接させた際に、横目地７のズレが生じても違和感が緩和される。
【００４２】
したがって、この外壁材１は、接合領域で優れた意匠性を発揮することができる。このため、この外壁材１によって出隅用パネルを製造したとしても、建物が優れた意匠性を発揮することができる。
【００４３】
（実施の形態２）
実施の形態２の建築板は、図１４及び図１５に示す外壁材１２である。この外壁材１２は、各縦目地５が縦方向に形成する延長線上には、三つの凸部３を跨がなければ、他の縦目地５が存在しない。換言すれば、各縦目地５が縦方向に形成する延長線上には、三つの凸部３を跨げば、他の縦目地５が存在する。他の構成は実施の形態１と同様である。
【００４４】
この外壁材１２も、実施の形態１の外壁材１と同様に、切断されたブロックが目立ちにくく、意匠性を損ないにくい。また、外壁材１を縦方向に切断する場合、横方向の幅が極端に狭いブロックが縦方向に連続して形成され難く、目立ちにくいので、意匠性を損ないにくい。
【００４５】
以上において、本発明を実施の形態１、２等に即して説明したが、本発明は上記実施の形態１、２等に制限されるものではなく、その趣旨を逸脱しない範囲で適宜変更して適用できることはいうまでもない。
【００４６】
例えば、建築板は、第１方向が横方向であり、第２方向が縦方向であってもよい。また、第１目地、第２目地ともに、凸部は目地底に対し４５°で傾斜していてもよく、６０°で傾斜してもよく、他の角度で傾斜していてもよい。また、第１目地、第２目地ともに、それぞれの傾斜角度が異なってもよい。
【００４７】
溝は６本に限定されない。また、各凸部３が７個以外の複数のブロックに区画されてもよい。さらに、溝は、断面視がＵ形状のＵ溝であってもよい。
【００４８】
稜線ブロックは、第１方向、第２方向を問わず、稜線がブロック内を区画しておれば足りる。稜線は、屈曲していてもよく、湾曲していてもよい。稜線は、２本以上であってもよく、分岐していてもよい。稜線がブロックを第１方向で横切っていることがより好ましい。
【００４９】
第２目地は、凸部単位で第１方向の幅を変化させてもよいし、ブロック単位で第１方向の幅を変化させてもよい。また、第１目地の第２方向の幅は一定でもよいが、変化させてもよい。さらに、溝の第２方向の幅は変化させてもよいが、全て一定としてもよい。
【００５０】
建築板は、上端縁及び下端縁に隣接する建築板と重ね合わされる実部を有する上下合決り構造のものであってもよいし、四方の端部に実部を有する四方合決り構造のものであってもよく、実部等の接合部を有さないものであってもよい。また、建築板は、外壁材に限定されず、内壁材であってもよい。さらに、建築板は、合板、石膏ボード等のものの他、金属系材、樹脂系材等であってもよい。
【符号の説明】
【００５１】
３…凸部
５…第１目地（縦目地）
７…第２目地（横目地）
３ａ〜３ｇ…ブロック
９ａ〜９ｆ…溝
Ｄ…深さ
Ｗ３…幅
Ｒ…稜線
３０…稜線ブロック
９１…Ｖ溝
９２…台形溝
【図１】
2019065506.tif 000003
【図２】
2019065506.tif 000004
【図３】
2019065506.tif 000005
【図４】
2019065506.tif 000006
【図５】
2019065506.tif 000007
【図６】
2019065506.tif 000008
【図７】
2019065506.tif 000009
【図８】
2019065506.tif 000010
【図９】
2019065506.tif 000011
【図１０】
2019065506.tif 000012
【図１１】
2019065506.tif 000013
【図１２】
2019065506.tif 000014
【図１３】
2019065506.tif 000015
【図１４】
2019065506.tif 000016
【図１５】
2019065506.tif 000017